(57)【要約】【課題】印刷中に印刷中断等の問題が生じた場合であっても、管理番号の欠番を管理することにより、適切な連番を付与することができる印刷装置を提供すること。【解決手段】印刷される画像データに合成される特定情報（連番）が、連番テーブル１１８２に記憶されている。ここで、制御部１００が印刷が中断されたことを検出すると、印刷が中断された連番に基づいて欠番を連番テーブル１１８２に記憶する。そして、画像データを再度印刷する場合に、連番テーブル１１８２の欠番に記憶された連番については再度印刷されることを禁止する。【選択図】図３
2009031830.tif 000002
【特許請求の範囲】
【請求項１】
複数の画像データに、それぞれ異なる特定情報を合成し、当該画像データを印刷する印刷手段を備えた印刷装置において、
前記印刷手段が印刷を中断したことを検出する印刷中断検出手段と、
前記印刷中断検出手段により印刷が中断された画像データから、前記印刷手段に印刷の指示を行う印刷指示手段と、
前記印刷手段が、前記印刷指示手段の指示により画像データを印刷する場合、前記画像データに合成された特定情報のうち、前記印刷手段により印刷されていない特定情報については、印刷を禁止する印刷禁止手段と、
を備えることを特徴とする印刷装置。
【請求項２】
前記印刷手段により印刷された特定情報と、前記禁止手段により印刷を禁止された特定情報とを管理する管理手段とを備えることを特徴とする請求項１に記載の印刷装置。
【請求項３】
前記管理手段により管理される印刷された特定情報と、印刷を禁止された特定情報とを印刷することを特徴とする請求項２に記載の印刷装置。
【請求項４】
前記印刷指示手段は、前記印刷手段において前記画像データが記録紙に転写完了していない画像データから印刷を行う指示をすることを特徴とする請求項１から３のいずれか一項に記載の印刷装置。
【請求項５】
前記印刷中断検出手段は、前記印刷装置において装置異常（ジャム）が発生したことを検知することにより、印刷が中断されたことを検出する手段であって、
前記印刷禁止手段は、前記印刷手段において前記画像データが記録紙に転写完了されていない場合に、前記画像データが印刷されていないと判定して特定情報の印刷を禁止することを特徴とする請求項１から３のいずれか一項に記載の印刷装置。
【請求項６】
前記特定情報は、連番において特定される情報であって、
前記印刷禁止手段は、前記画像データに合成された連番の内、前記印刷手段により印刷された画像データに合成されている連番から、前記印刷中断検出手段により印刷が中断されたことを検出した画像データに合成されている連番までの再印刷を禁止することを特徴とする請求項１に記載の印刷装置。
【請求項７】
前記印刷手段は、印刷中断検出手段により印刷が中断されたことが検出された場合に、印刷が中断された画像データの再印刷を行う手段であって、
前記画像データに合成する連番は、前記印刷禁止手段により再印刷が禁止される連番の次の連番であることを特徴とする請求項６に記載の印刷装置。
【請求項８】
印刷装置に接続されたコンピュータに、複数の画像データにそれぞれ異なる特定情報を合成し、当該画像データを印刷する印刷機能を実現するプログラムにおいて、
前記印刷装置が印刷を中断したことを検出する印刷中断検出機能と、
前記印刷中断検出機能により印刷が中断された画像データから、前記印刷機能に印刷の指示を行う印刷指示機能と、
前記印刷機能が、前記印刷指示機能の指示により画像データを印刷する場合、前記画像データに合成された特定情報のうち、前記印刷装置により印刷されていない特定情報については、印刷を禁止する印刷禁止機能と、
を実現させることを特徴とするプログラム。
【発明の詳細な説明】
【技術分野】
【０００１】
本発明は、複数の画像データに、それぞれ異なる特定情報を合成し、当該画像データを印刷する印刷手段を備えた印刷装置等に関する。
【背景技術】
【０００２】
従来から、画像データに基づいて、記録紙に画像を印刷する印刷装置が知られている。ここで、印刷装置において、例えば、伝票データのフォームと、記録内容とを合成して画像を形成し、印刷する技術が知られている（例えば、特許文献１参照）。
【０００３】
また、印刷装置において、印刷途中の記録紙が装置内部に滞留する等のトラブル（ジャム）が発生すると、印刷が中断されることとなる。そして、装置内部に滞留している印刷途中の記録紙が利用者によって取り除かれることにより、印刷が再開され、印刷が完了していない画像データ等が再度処理され印刷される技術が知られている（例えば、特許文献２参照）。
【特許文献１】特開２００４−１５５１１２号公報
【特許文献２】特開２００５−３１６９３８号公報
【発明の開示】
【発明が解決しようとする課題】
【０００４】
ここで、画像データを印刷する場合に、特定情報として管理するための管理番号（連番）を付して印刷する印刷装置が知られている。これらの印刷装置が印刷する記録紙としては、例えば伝票であったり、ダイレクトメールであったりする。このような印刷装置において、印刷された伝票等には、連番となる管理番号が合成されて印刷されることにより、利用者は伝票等の管理を行っている。
【０００５】
ここで、伝票等の印刷途中において、上述したジャムが発生すると、印刷が中断してしまう。具体的には、伝票等を印刷途中に、印刷装置内に、記録紙が滞留してしまうと、印刷が中断してしまう。ここで、利用者により、滞留した記録紙が取り除かれると、再度印刷が完了していない伝票等の印刷処理が開始される。
【０００６】
しかしながら、印刷途中の記録紙が装置内部で滞留した際に、記録紙が滞留した位置によっては画像データと管理番号が確認できる場合や、滞留した記録紙が利用できる場合が存在する。具体的には、トナー像が記録紙に転写され未定着の場合には記録物として利用することはできないが、トナーが記録紙に静電吸着しているために、別装置によってトナーを記録紙に定着させることによってその記録物が利用可能となる。また、転写途中で滞留した記録紙は定着の状態により、その記録物が利用可能な場合も存在する。
【０００７】
このような場合、印刷物の状態と、管理番号として付した連番の状況により、再度印刷された伝票等の管理番号が一貫していないといった問題点が生じていた。例えば、同一の管理番号で複数の伝票等が印刷されてしまう場合があったり、異なる管理番号に対して同内容の伝票が印刷されてしまったりするといった不都合が生じていた。
【０００８】
上述した課題に鑑み、本発明が目的とするところは、印刷中に印刷中断等の問題が生じた場合であっても、管理番号の欠番を管理することにより、適切な連番を付与することができる印刷装置を提供することである。
【課題を解決するための手段】
【０００９】
上述した課題に鑑み、本発明の印刷装置が目的とするところは、複数の画像データに、それぞれ異なる特定情報を合成し、当該画像データを印刷する印刷手段を備えた印刷装置において、前記印刷手段が印刷を中断したことを検出する印刷中断検出手段と、前記印刷中断検出手段により印刷が中断された画像データから、前記印刷手段に印刷の指示を行う印刷指示手段と、前記印刷手段が、前記印刷指示手段の指示により画像データを印刷する場合、前記画像データに合成された特定情報のうち、前記印刷手段により印刷されていない特定情報については、印刷を禁止する印刷禁止手段と、を備えることを特徴とする。
【００１０】
また、本発明の印刷装置は、前記印刷手段により印刷された特定情報と、前記禁止手段により印刷を禁止された特定情報とを管理する管理手段とを備えることを特徴とする。
【００１１】
また、本発明の印刷装置は、前記管理手段により管理される印刷された特定情報と、印刷を禁止された特定情報とを印刷することを特徴とする。
【００１２】
また、本発明の印刷装置において、前記印刷指示手段は、前記印刷手段において前記画像データが記録紙に転写完了していない画像データから印刷を行う指示をすることを特徴とする。
【００１３】
また、本発明の印刷装置において、前記印刷中断検出手段は、前記印刷装置において装置異常（ジャム）が発生したことを検知することにより、印刷が中断されたことを検出する手段であって、前記印刷禁止手段は、前記印刷手段において前記画像データが記録紙に転写完了されていない場合に、前記画像データが印刷されていないと判定して特定情報の印刷を禁止することを特徴とする。
【００１４】
また、本発明の印刷装置において、前記特定情報は、連番において特定される情報であって、前記印刷禁止手段は、前記画像データに合成された連番の内、前記印刷手段により印刷された画像データに合成されている連番から、前記印刷中断検出手段により印刷が中断されたことを検出した画像データに合成されている連番までの再印刷を禁止することを特徴とする。
【００１５】
また、本発明の印刷装置において、前記印刷手段は、印刷中断検出手段により印刷が中断されたことが検出された場合に、印刷が中断された画像データの再印刷を行う手段であって、前記画像データに合成する連番は、前記印刷禁止手段により再印刷が禁止される連番の次の連番であることを特徴とする。
【００１６】
本発明におけるプログラムは、印刷装置に接続されたコンピュータに、複数の画像データにそれぞれ異なる特定情報を合成し、当該画像データを印刷する印刷機能を実現するプログラムにおいて、前記印刷装置が印刷を中断したことを検出する印刷中断検出機能と、前記印刷中断検出機能により印刷が中断された画像データから、前記印刷機能に印刷の指示を行う印刷指示機能と、前記印刷機能が、前記印刷指示機能の指示により画像データを印刷する場合、前記画像データに合成された特定情報のうち、前記印刷装置により印刷されていない特定情報については、印刷を禁止する印刷禁止機能と、を実現させることを特徴とする。
【発明の効果】
【００１７】
本発明によれば、複数の画像データに、それぞれ異なる特定情報を合成し、当該画像データを印刷する印刷装置において、印刷が中断されたことが検出された場合、印刷が中断された画像データから再度印刷の指示を行う場合、前記画像データに合成された特定情報のうち、印刷されていない特定情報については、印刷が禁止されることとなる。したがって、印刷が中断され、再度印刷が行われた場合であっても、特定情報の重複印刷を確実に防止することができ、連番の管理が容易となる。
【００１８】
また、印刷された特定情報と、印刷が禁止された特定情報が印刷されることとなる。したがって、印刷されたデータのうち、印刷された特定情報と、印刷が禁止されたことにより欠番となった特定情報とが印刷されることとなり、利用者は容易に特定情報の印刷状況を把握することが可能となる。
【００１９】
また、印刷中断された画像データから印刷を指示する場合、記録紙に転写完了していない画像データから印刷の指示を行うこととなる。したがって、記録紙に転写完了された画像データが重複して印刷されないこととなり、同一の特定情報の印刷も防ぐことが可能となる。
【００２０】
また、印刷装置において装置異常（ジャム）が発生したことを検知することにより、印刷が中断を検出し、中断されたときに、画像データが記録紙に転写完了していない特定情報の印刷が禁止されることとなる。
【００２１】
また、特定情報は連番であって、印刷された画像データに合成されている連番から、印刷が中断されたことを検出した画像データに合成されている連番までの再印刷が禁止されることとなる。
【発明を実施するための最良の形態】
【００２２】
以下、図面を参照して本発明を実施するための最良の形態について説明する。なお、本実施形態では、一例として、本発明における印刷装置を、デジタル複合機に適用した場合について説明する。
【００２３】
［動作説明］
図１及び図２は、本実施形態におけるデジタル複合機１の一実施形態を示す斜視図及び断面図である。このデジタル複合機１では、原稿の画像を読取って記録紙に印刷する複写モード、原稿の画像を読取って送信したり、原稿の画像を受信して記録紙に印刷したりするファクシミリモード、及び情報端末装置からネットワークを通じて受信した画像を記録紙に印刷するプリンタモード等を選択的に行うことができる。このデジタル複合機１は、その構成を大別すると、原稿搬送読取部２、画像形成部３、給紙部４、排紙処理装置５及びＵＳＢインターフェイス７を備えている。
【００２４】
次に、複写モードを例に挙げて、デジタル複合機１の動作を説明する。まず、原稿を原稿搬送読取部２の原稿セットトレイ１１にセットすると、原稿検知センサ１２が原稿をセットされたことを検出する。そして、原稿搬送読取部２の操作パネル６を操作することにより印刷用紙のサイズ及び変倍率等を入力設定する。その後、操作パネル６の操作により複写の開始を指示する。
【００２５】
これらの操作に応答して原稿搬送読取部２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して原稿排出トレイ１７へと排出する。
【００２６】
このとき、第１読取部２１によって原稿の表面（下側面）を読取る。第１読取部２１の第１走査ユニット２３をポジションに移動して位置決めし、第２走査ユニット２４を所定位置に位置決めしておき、第１走査ユニット２３の露光ランプにより原稿の表面を、プラテンガラス１６を介して照射し、原稿の反射光を第１及び第２走査ユニット２３、２４の各反射ミラーにより結像レンズ２６へと導き、原稿の反射光を結像レンズ２６によりＣＣＤ（Charge  Coupled  Device）２７に集光させ、原稿の表面の画像をＣＣＤ２７上に結像させ、これにより原稿の表面の画像を読取る。
【００２７】
また、第２読取部２２によって原稿の裏面（上側面）を読取る。第２読取部２２は、プラテンガラス１６の上方に配置されており、原稿の裏面を照射する露光ランプ（ＬＥＤ（Light Emitting Diode）アレイ、蛍光灯等）、画素毎に、原稿の反射光を集光するセルフォックレンズアレイ及びセルフォックレンズアレイを通じて受光した原稿の反射光を光電変換して、アナログの画像信号を出力する密着イメージセンサ（CIS；Contact Image Sensor）等を備えている。
【００２８】
更に、原稿搬送読取部２の上部筐体を開いて、プラテンガラス１６上に原稿を載置し、この状態で第１読取部２１により原稿の表面を読取ることが可能である。この場合は、第１及び第２走査ユニット２３、２４を相互に所定の速度関係を維持しつつ副走査方向に移動させ、第１走査ユニット２３によってプラテンガラス１６上の原稿を露光し、第１及び第２走査ユニット２３、２４によって原稿からの反射光を結像レンズ２６へと導き、結像レンズ２６によって原稿の画像をＣＣＤ２７上に結像する。
【００２９】
こうして原稿の片面もしくは両面が読み取られると、原稿の片面もしくは両面の画像を示す画像データがマイクロコンピュータ等の制御部１００（図３に示す）に入力され、ここで画像データに各種の画像処理が施され、この画像データが画像形成部３へと出力される。
【００３０】
画像形成部３は、画像データによって示される原稿の画像を記録紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）及び定着装置３７等を備えている。
【００３１】
また、画像形成部３には、主搬送路３８及び反転搬送路３９が設けられており、給紙部４から給紙されて来た記録紙が主搬送路３８に沿って搬送される。給紙部４は、用紙カセット４１に収納された記録紙、または手差トレイ４２に載置された記録紙を１枚ずつ引き出して、記録紙を画像形成部３の主搬送路３８へと送り出す。
【００３２】
画像形成部３の主搬送路３８に沿って記録紙が搬送されている途中で、記録紙が感光体ドラム３１と転写装置３５との間を通過し、更に定着装置３７を通過して、記録紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取部２からの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録紙に感光体ドラム３１表面のトナー像を転写する。定着装置３７は、記録紙を加熱及び加圧して、記録紙上のトナー像を定着させる。
【００３３】
主搬送路３８と反転搬送路３９の接続位置には、分岐爪４３が配設されている。記録紙の片面だけに印刷が行われる場合は、分岐爪４３が位置決めされ、この分岐爪４３により定着装置３７からの記録紙が排紙トレイ４４又は排紙処理装置５の方へと導かれる。
【００３４】
また、記録紙の両面に印刷が行われる場合は、分岐爪４３が点線で示す位置に回転移動されて、記録紙が反転搬送路３９の方へと導かれる。そして、記録紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置５の方へと導かれる。
【００３５】
こうして印刷された記録紙は、排紙トレイ４４又は排紙処理装置５の方へと導かれて、排紙トレイ４４に排出されたり、排紙処理装置５の各排紙トレイ５ａのいずれかに排出されたりすることとなる。
【００３６】
排紙処理装置５では、複数の記録紙を各排紙トレイ５ａに仕分けして排出したり、各記録紙にパンチング処理を施したり、各記録紙にステープル処理を施す。例えば、複数部の印刷物を作成する場合は、各排紙トレイ５ａに印刷物の一部ずつが割り当てられる様に各記録紙を各排紙トレイ５ａに仕分けして排出し、排紙トレイ５ａ毎に、排紙トレイ５ａ上の各記録紙にパンチング処理やステープル処理を施して、印刷物を作成する。
【００３７】
［構成］
つづいて、デジタル複合機１の構成について図３を用いて説明する。図３に示すように、デジタル複合機１は、制御部１００に、画像読取部１０２と、操作部１０４と、画像形成部１０６と、モデム部１０８と、画像メモリ１１０と、通信部１１２と、ＲＯＭ１１４と、管理部１１６と、記憶部１１８とが接続されている。また、モデム部１０８は公衆回線網Ｎ３に、通信部１１２はネットワークＮ１に接続されている。
【００３８】
制御部１００は、デジタル複合機１の各種動作及び制御を行う機能部である。デジタル複合機１に記憶されている各種プラグラムを読み出し、実行することにより各処理を実現する。ここで、制御部１００は、例えば演算を行うＣＰＵ（Central Processing Unit）により構成されている。
【００３９】
画像読取部１０２は、記録紙に記録された画像を読み取って、画像データを生成する機能部である。画像読取部１０２は、例えばスキャナ等から構成されている。なお、図１に示したデジタル複合機１においては、原稿搬送読取部２が該当する。画像読取部１０２において生成された画像データは、画像メモリ１１０に送られ、一時記憶される。
【００４０】
操作部１０４は、操作のために必要な情報を表示する液晶パネル等の表示手段と、使用者の操作により制御命令などの情報が入力されるタッチパネル又はテンキー等の入力手段とからなっている。なお、図１に示したデジタル複合機１においては、操作パネル６が該当する。
【００４１】
画像形成部１０６は、画像メモリ１１０に記憶された画像データに基づいて、画像を形成し、記録紙に記録（印刷）するための機能部である。例えば、レーザプリンタ等により構成されてもよい。なお、図１においては、画像形成部３が該当する。
【００４２】
モデム部１０８は、ファクシミリ通信を行うための機能部であり、公衆回線網Ｎ３に接続されている。ここで、画像読み取り部１０２が生成した画像データは、モデム部１０８に接続された公衆回線網Ｎ３を介して他のファクシミリ装置２１２へファクシミリ通信にて送信することができる。また、デジタル複合機１において、公衆回線網Ｎ３を介して他のファクシミリ装置２１２から送信された画像データをモデム部１０８で受信し、受信した画像データから画像形成部１０６で画像を形成することができる。
【００４３】
画像メモリ１１０は、画像データを一時的に記憶するメモリである。具体的には、画像読取部１０２で生成された画像データが、一度画像メモリ１１０に記憶される。ここで、印刷を指示されている画像データは画像形成部１０６に、保存を指示されている画像データは記憶部１１８に、通信により送受信を指示されている画像データはモデム部１０８又は通信部１１２にそれぞれ出力される。
【００４４】
また、モデム部１０８や通信部１１２により受信された画像データも、画像メモリ１１０に一時保存されることになる。
【００４５】
通信部１１２は、デジタル複合機１がネットワークを介してデータを送受信するための通信手段として機能する機能部である。通信部１１２は、社内ＬＡＮ等の通信ネットワークＮ１に接続可能であり、通信ネットワークＮ１には１または複数のパーソナルコンピュータ２００が接続されている。ここで、デジタル複合機１が単独で動作している通常の状態では、通信ネットワークＮ１を介してＰＣ２００との間でデータを交換する。
【００４６】
具体的には、デジタル複合機１において、画像読取部１０２が生成した画像データを通信部１１２からＰＣ２００に送信する。このようにすることにより、デジタル複合機１はスキャナとして動作可能となる。また、逆にＰＣ２００において、画像データをデジタル複合機１に送信する。デジタル複合機１は、通信部１１２において受信された画像データから画像形成部１０６で画像を形成することができる。この場合、デジタル複合機１はプリンタとして動作可能である。
【００４７】
ここで、通信ネットワークＮ１は、更にインターネット等の広域通信ネットワークＮ２に接続されている。通信部１０８は、電子メールに画像データを添付して送信するなどの方法により、広域通信ネットワークＮ２に接続されたＰＣ２０２又は他のファクシミリ装置２１０との間で、通信ネットワークＮ１及び広域通信ネットワークＮ２を介して画像データを受信することができる。このようにして、デジタル複合機１はインターネットファクシミリ装置として機能する。
【００４８】
ＲＯＭ１１４は、デジタル複合機１を動作させる為の各種データやプログラムなどを記憶している機能部である。制御部１００は、ＲＯＭ１１４に記憶されている制御プログラムを読み出して実行することにより、制御処理を実行する。また、ＲＯＭ１１４には連番印刷プログラム１１４２が記憶されている。制御部１００は、連番印刷プログラム１１４２を読み出して実行することにより、連番印刷処理（図５）を実現する。
【００４９】
管理部１１６は、連番情報を管理する機能部である。デジタル複合機１において、画像データに合成する管理番号を連番として生成する。そして、当該連番を、画像メモリ１１０に記憶されている画像データに合成することにより、画像データに連番を付与することとなる。
【００５０】
記憶部１１８は、デジタル複合機１の設定状態を記憶したり、画像メモリ１１０において一時記憶された画像データを保存したりするための機能部である。ここで、記憶部１１８は、例えば、半導体メモリ、ハードディスクドライブ、光学式ディスクドライブ等のいずれかの記憶装置により構成されている。また、記憶部１１８には、連番テーブル１１８２が記憶されている。
【００５１】
連番テーブル１１８２は、デジタル複合機１における連番の状態を記憶しているテーブルである。一例として、連番テーブル１１８２のデータ構造は図４として示すように、印刷中断連番（例えば「Ａ０００４」）と、使用済み連番（例えば、「Ａ０００８」）と、欠番（例えば「Ａ０００４−Ａ０００８」）とを記憶している。
【００５２】
［処理の流れ］
続いて、図５を用いて、デジタル複合機１における連番印刷処理について説明する。連番印刷処理は、制御部１００が、連番印刷プログラム１１４２を実行することにより、実現される処理である。
【００５３】
まず、連番印刷の合成処理が指定されると、連続印刷の種類が選択される（ステップＳ１０）。例えば、管理番号（文章）として、「請求書」が指定されると請求書のデータが選択され、請求書に適合した連番が管理番号として管理部１１６により付与される。
【００５４】
続いて、画像メモリ１１０に展開された画像データに、管理部１１６において生成される管理番号が合成され、合成された画像データに基づいて、画像形成部１０６において画像が印刷される（ステップＳ１２）。ここで、印刷中にジャムが発生せずに正常に印刷されることになり（ステップＳ１４；Ｎｏ）、印刷が終了するまで処理を繰り返し実行する（ステップＳ１６；Ｎｏ→ステップＳ１２）。
【００５５】
他方、ステップＳ１６において、印刷が終了したと判定されると（ステップＳ１６；Ｙｅｓ）、連番印刷処理を終了する。
【００５６】
ここで、ステップＳ１４においてジャムが発生したことを検知した場合には（ステップＳ１４；Ｙｅｓ）印刷が中断された連番を、連番テーブル１１８２の「印刷中断連番」として記憶する（ステップＳ２０）。また、画像メモリ１１０に既に展開されて付与された連番を、連番テーブル１１８２の「使用済み連番」として記憶する（ステップＳ２２）。
【００５７】
そして、ジャムが発生したことを警告し（ステップＳ２４）、ジャムが発生したことを利用者に警告する。ここで、ジャムの発生の一例としては、例えばデジタル複合機１の装置内部に、記録紙が滞留することにより、印刷処理が実行できなくなった場合等をいう。
【００５８】
ここで、ジャムが解除された（印刷出来なくなった要因が排除された）場合には（ステップＳ２６；Ｙｅｓ）、欠番となる連番を決定し、連番テーブル１１８２に「欠番」として記憶する（ステップＳ２８）。この「欠番」として記憶された番号は、再度記録紙に印刷を行う場合に、印刷が禁止される番号となる。
【００５９】
例えば、現在印刷中断連番として「Ａ０００４」が、「使用済み連番」として「Ａ０００８」が連番テーブル１１８２に記憶されている。ここで、印刷が中断された連番である「Ａ０００４」から「Ａ０００８」のデータを「欠番」として記憶する。
【００６０】
なお、換言すれば、欠番として管理される番号は、メモリに展開され、画像データに合成されたが記録紙に印刷されていない（トナーの定着が完了していない記録紙の）番号となる。例えば、定着装置３７を通過することにより記録紙に画像データが印刷され後に、排紙処理装置５においてジャムが発生した場合、当該画像データは記録紙に印刷が完了しているため、当該記録紙に印刷された連番は、欠番とならず、印刷が行われた連番として管理される。
【００６１】
続いて、欠番後（例えば、「Ａ０００９」）から連番を割り当てる（ステップＳ３０）。そして、割り当てられた連番から再度印刷が行われる（ステップ３２）。なお、ここで、印刷される画像データは、印刷が完了していない画像データである。すなわち、例えば、記録紙が装置内で複数枚滞留した場合、定着装置３７を通過することにより記録紙に画像データが正しく印刷されたものは印刷されず、記録紙に印刷が正しく行われていない画像データから再度印刷されることとなる。
【００６２】
さらに、再度ジャムが発生したことを検知した場合には、ステップＳ２０に処理が移行し（ステップＳ３４；Ｙｅｓ→ステップＳ２０）、ジャムが発生しない場合は印刷処理を継続する（ステップＳ３４；Ｎｏ→ステップＳ３６；Ｎｏ→ステップＳ３２）。
【００６３】
また、連番印刷の印刷が総て終了した場合には（ステップＳ３６；Ｙｅｓ）、連番テーブル１１８２を参照し、印刷された連番と、欠番を記載したレポートを印刷し（ステップＳ３８）、連番印刷処理を終了する。
【００６４】
［動作例］
図６は、連番が印刷された伝票の一例を示した図である。図６に示すように、管理番号として「Ａ０００１」〜「Ａ０００３」が印刷され、その後「Ａ０００４」〜「Ａ０００８」が欠番となり、「Ａ０００９」からが印刷されている。
【００６５】
また、図７は、ステップＳ３８において印刷されたレポートの一例を示す図である。レポートとしては、印刷された連番印刷の種類とともに、印刷され番号と、欠番に関する情報が出力されている。
【００６６】
ここで、欠番に関する情報は、連番テーブル１１８２を参照することにより印刷可能である。
【００６７】
なお、本実施形態においては、印刷装置の一例としてデジタル複合機を用いて説明したが、本発明が適用可能は装置に関しては、当該装置に限定されるものではない。具体的には、例えばファクシミリ装置であったり、処理装置、印刷装置を備えたコンピュータシステムであったり、同種の装置にも適用可能なことは勿論である。
【００６８】
また、本実施形態においては、ジャムの原因となった記録紙（例えば、印刷装置内部に滞留した記録紙）のうち、正しく印刷された記録紙に関しては再印刷を行わないこととして説明したが、ジャムの原因となった記録紙（画像データ）総てを再印刷を行うこととしてもよい。この場合、例えば、装置内部において正しく印刷された記録紙に関しては、欠番とせず、再度印刷前の記録紙と再印刷後の記録紙に同一の特定情報（連番）を付して印刷することとなる。したがって、同一の画像データに対して異なる特定情報（連番）が付されることがなくなり、適切に管理をすることが可能となる。
【図面の簡単な説明】
【００６９】
【図１】本発明を適用した場合におけるデジタル複合機の外観を示す図である。
【図２】本発明を適用した場合におけるデジタル複合機の断面図である。
【図３】本実施形態におけるデジタル複合機の構成を示す図である。
【図４】本実施形態における連番テーブルのデータ構造の一例を示す図である。
【図５】本実施形態における連番印刷処理の動作フローを示す図である。
【図６】本実施形態における出力結果の一例を示す図である。
【図７】本実施形態における出力結果の一例を示す図である。
【符号の説明】
【００７０】
１  デジタル複合機
２  原稿搬送読取部
３  画像形成部
４  給紙部
５  排紙処理装置
１００  制御部
１０２  画像読取部
１０４  操作部
１０６  画像形成部
１０８  モデム部
１１０  画像メモリ
１１２  通信部
１１４  ＲＯＭ
１１４２  連番印刷プログラム
１１８  記憶部
１１８２  連番テーブル
【図１】
2009031830.tif 000003
【図２】
2009031830.tif 000004
【図４】
2009031830.tif 000005
【図５】
2009031830.tif 000006
【図６】
2009031830.tif 000007
【図７】
2009031830.tif 000008
【図３】
2009031830.tif 000009